(57)【要約】【課題】扉の開き角度を変更可能にする。【解決手段】盤本体１の前面に固定部４を取り付けるとともに、扉２の内面に水平に案内部５を設け、案内部５の長さ方向に長孔５ａを設けるとともに、長孔５ａの端部に落とし込み孔５ｂを設ける。又、一端が固定部４に回動自在に連結された第１の腕部２２と一端に設けられた可動部７が案内部５の長孔５ａ及び落とし込み孔５ｂと係合する第２の腕部２３の他端間をスライド自在にかつボルト２５により締結して扉ストッパーレバー２７を構成し、この扉ストッパーレバー２７の長さを変更可能とした。【選択図】図１
2007267467.tif 000002
【特許請求の範囲】
【請求項１】
盤本体と、盤本体にヒンジを介して回動自在に取り付けられ、盤本体の開口側を覆う扉とを備えた配電盤において、盤本体の前面に取り付けられた固定部と、扉の内面に水平に取り付けられるとともに、長さ方向に長孔を有し、かつ長孔の端部に落とし込み孔を有する案内部と、一端が固定部に回動自在に連結された第１の腕部と一端に設けられた可動部が案内部の長孔及び落とし込み孔と係合する第２の腕部の他端間をスライド自在にかつボルトにより締結して構成され、長さ調整可能とした扉ストッパーレバーとを備えたことを特徴とする配電盤の扉ストッパー構造。
【発明の詳細な説明】
【技術分野】
【０００１】
この発明は、配電盤、特に屋外配電盤の扉ストッパ−構造に関するものである。
【背景技術】
【０００２】
図２は従来の屋外配電盤の扉ストッパー構造の基本的構成を示す平面図であり、１は盤本体であり、盤本体１の開口側にはヒンジ３を介して扉２が回動自在に取り付けられる。盤本体１の前面には固定部４が取り付けられるとともに、扉２の内面には案内部５が水平に取り付けられ、案内部５には長孔５ａが設けられ、長孔５ａの一端には落とし込み孔５ｂが設けられる。６は扉ストッパレバーであり、その一端は固定部４に回動自在に連結され、他端には可動部７が立設され、可動部７は長孔５ａ及び落とし込み孔５ｂと係合する。扉２を開けた際には、可動部７が長孔５ａ内を摺動し、可動部７が長孔５ａの端部の落とし込み５ｂと係合した際に扉２の回動は停止される。
【０００３】
図３（ａ），（ｂ）は従来の屋外配電盤の扉ストッパー構造の具体的構成を示す平面図及び正面図であり、図４は同じく案内部５の正面図である。
【０００４】
図５（ａ）〜（ｃ）は従来の屋内配電盤の扉ストッパー構造の平面図、そのＡ−Ａ線矢視図及び側面図を示し、８は盤本体、９は扉、１０は扉９の内面上部に溶接され、長孔１０ａが設けられた案内部である。１１は一端が長孔１０ａにピン１２を介して摺動自在にかつ回動自在に連結された扉ストッパーレバー、１３は盤本体８の天井面付近に雄ねじ１４及びナット１５により取り付けられた取付金具であり、扉ストッパーレバー１１の他端は取付金具１３にピン１６を介して回動自在に連結される。又、案内部１０にはボルト１７、支え板１８、座１９及びナット２０によりストッパ２１が取り付けられる。図５の構成において、扉９を開くと、ピン１２が案内部１０の長孔１０ａ内を摺動し、ピン１２がストッパ２１と係合することにより、扉９の開き角度は固定される。そして、ストッパ２１の案内部１０に対する取付位置を変更することにより、扉９の開き角度を変更することができる。
【０００５】
なお、先行技術文献情報としては、次のものがある。
【特許文献１】特開平３−８９９０号公報
【特許文献２】特開２００３−１４８０２８号公報
【発明の開示】
【発明が解決しようとする課題】
【０００６】
上記したように、従来においては、屋内配電盤の扉ストッパー構造においては、ストッパ２１が可動式であるために、扉９の開き角度の変更が容易であったが、屋外配電盤においては、強風等の強度対策のため、可動式のストッパーを使用することができず、案内部５の長孔５ａに落とし込み孔５ｂを設け、この落とし込み孔５ｂに可動部７を係合して扉２の開き角度を固定するようにしていたため、開き角度の調整が困難であった。
【０００７】
この発明は上記のような課題を解決するために成されたものであり、扉の開き角度を変更することができる配電盤の扉ストッパー構造を得ることを目的とする。
【課題を解決するための手段】
【０００８】
この発明の請求項１に係る配電盤の扉ストッパー構造は、盤本体と、盤本体にヒンジを介して回動自在に取り付けられ、盤本体の開口側を覆う扉とを備えた配電盤において、盤本体の前面に取り付けられた固定部と、扉の内面に水平に取り付けられるとともに、長さ方向に長孔を有し、かつ長孔の端部に落とし込み孔を有する案内部と、一端が固定部に回動自在に連結された第１の腕部と一端に設けられた可動部が案内部の長孔及び落とし込み孔と係合する第２の腕部の他端間をスライド自在にかつボルトにより締結して構成され、長さ調整可能とした扉ストッパーレバーとを備えたものである。
【発明の効果】
【０００９】
以上のようにこの発明の請求項１によれば、扉ストッパーレバーを、一端が固定部に回動自在に連結された第１の腕部と一端に設けられた可動部が案内部の長孔及び落とし込み孔と係合する第２の腕部の他端間をスライド自在にかつボルトにより締結して構成し、長さ調整可能としたので、扉ストッパーレバーの長さを変更することにより、扉の開き角度を容易に変更することができる。
【発明を実施するための最良の形態】
【００１０】
以下、この発明を実施するための最良の形態を図面とともに説明する。図１はこの発明の実施最良形態による屋外配電盤の扉ストッパー構造の扉ストッパーレバーの正面図及び左側面図を示し、扉ストッパーレバー以外の構造は図２〜図４に示した従来の屋外配電盤の扉ストッパー構造と同じである。図１において、２２は一端２２ａが固定部４に回動自在に連結された第１の腕部、２３は一端２３ａに可動部７が立設された第２の腕部であり、可動部７は案内部５の長孔５ａ及び落とし込み孔５ｂと係合する。又、第２の腕部２３はボルトが挿通される長孔２３ｂを有し、第１の腕部２２はボルトが螺合する二つの雌ねじ部２２ｂを有する。第１及び第２の腕部２２，２３の他端は重ねられ、さらにコ字状で二つのボルト挿通孔２４ａを有するガイド２４が第１及び第２の腕部２２，２３の他端を囲むように重ねられ、二本のボルト２５が座金２６を介して、ガイド２４のボルト挿通孔２４ａ及び第２の腕部２３の長孔２３ｂに挿通され、第１の腕部２２の雌ねじ部２２ｂに螺合され、これにより、第１、第２の腕部２２，２３及びガイド２４が一体化され、扉ストッパーレバー２７が構成される。
【００１１】
上記構成において、ボルト２５を緩めて、第２の腕部２３を第１の腕部２２に対して長孔２３ｂに沿って移動させれば、扉ストッパーレバー２７の長さを変えることができる。
【００１２】
上記した実施最良形態によれば、扉ストッパーレバー２７の長さを変えることができるので、扉２の開き角度を容易に変えることができる。なお、ガイド２４は必ずしも必要ではない。又、上記した扉ストッパー構造を屋外配電盤に適用したが、屋内配電盤に適用してもよい。
【図面の簡単な説明】
【００１３】
【図１】この発明の実施最良形態による扉ストッパーレバーの正面図及び左側面図である。
【図２】従来の屋外配電盤の扉ストッパー構造の基本構成を示す平面図である。
【図３】従来の屋外配電盤の扉ストッパー構造の具体的構成を示す平面図及び正面図である。
【図４】従来の屋外配電盤の扉ストッパー構造における案内部の正面図である。
【図５】従来の屋内配電盤の扉ストッパー構造の平面図、そのＡ−Ａ線矢視図及び側面図である。
【符号の説明】
【００１４】
１…盤本体
２…扉
３…ヒンジ
４…固定部
５…案内部
５ａ，２３ｂ…長孔
５ｂ…落とし込み孔
７…可動部
２２…第１の腕部
２２ｂ…雌ねじ部
２３…第２の腕部
２４…ガイド
２４ａ…ボルト挿通孔
２５…ボルト
２６…座金
２７…扉ストッパーレバー
【図１】
2007267467.tif 000003
【図２】
2007267467.tif 000004
【図３】
2007267467.tif 000005
【図４】
2007267467.tif 000006
【図５】
2007267467.tif 000007